(57)【要約】【課題】  レバーのロック解除操作とレバーの回動操作とを連続的に行うことができ、相手コネクタとの嵌合を容易に解除操作できる、安価な構成のレバー式コネクタを提供する。【解決手段】  レバー式コネクタ１は、ハウジング５０及びレバー６０に、レバー６０を終点位置に係止するロック機構７０を有する。ロック機構７０は、ハウジング５０の始点位置側から終点位置側に向かってレバー６０の回動軌跡にほぼ沿って回動軌跡の下方側を延びるハウジング側ロックアーム８０と、レバー６０に設けられ、ハウジング側ロックアーム８０の延出方向と逆方向に延びるレバー側ロックアーム９０とを備えている。レバー側ロックアーム９０は、その自由端上側にロック解除操作部９１を有すると共に、ロック解除操作部９１の下にハウジング側ロックアーム８０に係止する係止部９２を有する。【選択図】      図８
2005317384.tif 000002
【特許請求の範囲】
【請求項１】
複数のコンタクトを収容するハウジングと、該ハウジングに対して始点位置と終点位置との間を回動可能に軸支され、相手コネクタに設けられたカムフォロアと係合するカム溝を有するレバーとを具備し、前記ハウジング及び前記レバーに、該レバーを前記終点位置に係止するロック機構を設けたレバー式コネクタにおいて、
前記ロック機構は、前記ハウジングの前記始点位置側から前記終点位置側に向かって前記レバーの回動軌跡にほぼ沿って該回動軌跡の下方側を延びるハウジング側ロックアームと、前記レバーに設けられ、前記ハウジング側ロックアームの延出方向と逆方向に延びるレバー側ロックアームとを備え、
該レバー側ロックアームは、その自由端上側にロック解除操作部を有すると共に、該ロック解除操作部の下に前記ハウジング側ロックアームに係止する係止部を有することを特徴とするレバー式コネクタ。
【請求項２】
前記レバーに、前記レバー側ロックアームの両側に位置して前記レバー側ロックアームを保護するレバー側ロックアーム保護片を設けたことを特徴とする請求項１記載のレバー式コネクタ。
【請求項３】
前記ハウジングに、前記ハウジング側ロックアームの両側に位置して前記ハウジング側ロックアームを保護するハウジング側ロックアーム保護片を設けたことを特徴とする請求項１又は２記載のレバー式コネクタ。
【請求項４】
前記ハウジングに、前記レバーが終点位置に係止されているときに前記レバーの下方への移動を規制する支持片を設けたことを特徴とする請求項１乃至３のうちいずれか一項に記載のレバー式コネクタ。
【発明の詳細な説明】
【技術分野】
【０００１】
本発明は、レバー式コネクタに関する。
【背景技術】
【０００２】
互いに嵌合するコネクタが多極化すると、嵌合力が増大し、嵌合作業性が悪化することになる。この多極化による嵌合力の増加による嵌合作業性の悪化を防止するために、従来、例えば、図１６に示すレバー式コネクタが開発されている（特許文献１参照）。
図１６に示すレバー式コネクタ１０１は、複数のコンタクト（図示せず）を収容するハウジング１１０と、ハウジング１１０に対して始点位置と終点位置との間を回動可能に取付られたレバー１２０とを具備している。
【０００３】
ここで、ハウジング１１０は、複数のコンタクトを収容するコンタクト収容部１１１と、相手コネクタ１４０を受容するフード部１１２とを備えている。フード部１１２の幅方向（図１６（Ａ）において紙面に対して直交する方向）両側壁には、レバー１２０を回動可能に支持するための支軸１１４が設けられている。また、フード部１１２の幅方向両側壁には、相手コネクタ１４０の幅方向両側面に設けられたカムフォロア１４１を引き込むためのガイド溝１１３が形成されている。
【０００４】
また、レバー１２０は、フード部１１２を上方から跨ぐように略コ字形に形成され、フード部１１２の幅方向両側壁の外側に位置する１対のアーム部１２２と、これらアーム部１２２の上端を連結する基部１２１とを備えている。両アーム部１２２はフード部１１２に設けられた支軸１１４に回動可能に軸支される。そして、両アーム部１２２には、相手コネクタ１４０のカムフォロア１４１と係合するカム溝１２３が形成されている。
【０００５】
そして、ハウジング１１０及びレバー１２０には、レバー１２０を図１６（Ａ）に示す終点位置に係止するロック機構１３０が設けられている。ロック機構１３０は、ハウジング１１０のコンタクト収容部１１１から延びるハウジング側ロック片１３３と、レバー１２０の基部１２１から延び、レバー１２０が終点位置に位置するときにハウジング側ロック片１３３に係止するレバー側ロック片１３１とから構成されている。ハウジング側ロック片１３３には、レバー側ロック片１３１の係止部１３２が係止する係止孔１３４が形成されている。そして、ハウジング側ロック片１３３の上端には、操作片１３５が後方（図１６（Ａ）における右方）に向けて突出形成され、ハウジング側ロック片１３３の係止孔１３４よりも下方には、突出片１３６が前方に向けて突出形成されている。突出片１３６には、レバー側ロック片１３１の前方下端に当接する傾斜面１３７が形成されている。
【０００６】
相手コネクタ１４０をレバー式コネクタ１０１に嵌合する際には、レバー１２０を始点位置（カム溝１２３の導入口がフード部１１２のガイド溝１１３と重なる位置）に回動しておき、フード部１１２内に相手コネクタ１４０を挿入する。そして、相手コネクタ１４０のカムフォロア１４１がアーム部１２２のカム溝１２３に入り込んだら、レバー１２０を始点位置から図１６（Ａ）に示す終点位置まで矢印Ａ方向に回動させる。これにより、相手コネクタ１４０はフード部１１２の奥まで引き込まれ、相手コネクタ１４０とレバー式コネクタ１０１との嵌合が完了する。このとき、レバー側ロック片１３１の係止部１３２がハウジング側ロック片１３３の係止孔１３４内に入り込んで係止され、レバー１２０の始点位置側への回動が阻止される。
【０００７】
相手コネクタ１４０とレバー式コネクタ１０１との嵌合を解除する際には、ハウジング側ロック片１３３の操作片１３５を押し下げる。すると、この操作片１３５の押し下げ動作により、図１６（Ｂ）に示すように、ハウジング側ロック片１３３は後方に傾動し、レバー側ロック片１３１の係止部１３２とハウジング側ロック片１３３の係止孔１３４との係止状態は解除される。このとき同時に突出片１３６の傾斜面１３７がレバー側ロック片１３１の前方下端角部に突き当たり、該レバー側ロック片１３１を上へ押し上げる。そして、レバー１２０を終点位置から始点位置まで矢印Ａ方向と反対の矢印Ｂ方向に回動させる。これにより、相手コネクタ１４０とレバー式コネクタ１０１との嵌合が解除されるのである。
【０００８】
また、従来のレバー式コネクタとして、例えば、図１７に示すもの（特許文献２参照）も知られている。
図１７に示すレバー式コネクタ２０１も、複数のコンタクト（図示せず）を収容し、相手コネクタ２４０を受容するハウジング２１０と、ハウジング２１０に対して始点位置と終点位置との間を回動可能に軸支されたレバー２２０とを具備している。
【０００９】
ここで、ハウジング２１０は、複数のコンタクトを収容するコンタクト収容部２１１と、相手コネクタ２４０を受容するフード部２１２とを備え、外周に環状のシール部材２１３が装着されている。シール部材２１３は、フード部２１２の内部からコンタクト収容部２１１の外周にかけて後方に向けて延設され、コンタクト収容部２１１の外周に装着帯２１３ａが形成されている。また、フード部２１２の幅方向両側壁には、相手コネクタ２４０の幅方向両側面に設けられたカムフォロア２４１を引き込むためのガイド溝２１５が形成されている。
【００１０】
また、レバー２２０は、フード部２１２を上方から跨ぐように略コ字形に形成され、フード部２１２の幅方向両側壁の外側に位置する１対のアーム部２２２と、これらアーム部２２２の上端を連結する基部２２１とを備えている。両アーム部２２２はフード部２１２に設けられた支軸２１４に回動可能に軸支される。そして、両アーム部２２２には、相手コネクタ２４０のカムフォロア２４１と係合するカム溝２２３が形成されている。
【００１１】
そして、ハウジング２１０及びレバー２２０には、レバー２２０を図１７に示す終点位置に係止するロック機構２３０が設けられている。ロック機構２３０は、ハウジング２１０のコンタクト収容部２１１から延びるハウジング側ロック片２３４と、レバー２２０の基部２２１から延び、レバー２２０が終点位置に位置するときにハウジング側ロック片２３４に係止するレバー側ロック片２３１とから構成されている。レバー側ロック片２３１には、ハウジング側ロック片２３４に係止する係止部２３２が後方に向けて突出形成されるとともに、係止部２３２から下方に向けて突き当て部２３３が突出形成されている。この突き当て部２３３の下端は、終点位置において、装着帯２１３ａの上面に突き当たり、装着帯２１３ａをコンタクト収容部２１１との間で圧縮させるようになっている。
【００１２】
そして、相手コネクタ２４０をレバー式コネクタ２０１に嵌合する際には、レバー２２０を始点位置（カム溝２２３の導入口がフード部２１２のガイド溝２１５と重なる位置  ）に回動しておき、フード部２１２内に相手コネクタ２４０を挿入する。そして、相手コネクタ２４０のカムフォロア２４１がアーム部２２２のカム溝２２３に入り込んだら、レバー２２０を始点位置から図１７に示す終点位置まで矢印Ａ方向に回動させる。これにより、相手コネクタ２４０はフード部２１２の奥まで引き込まれ、相手コネクタ２４０とレバー式コネクタ２０１との嵌合が完了する。このとき、レバー側ロック片２３１の係止部２３２がハウジング側ロック片２３４に係止され、レバー２２０の始点位置側への回動が阻止される。なお、係止部２３２がハウジング側ロック片２３４に係止するわずか手前の段階で突き当て部２３３は装着帯２１３ａに突き当たり、レバー２２０を回動させていくときに装着帯２１３ａを圧縮させる。
【００１３】
相手コネクタ２４０とレバー式コネクタ２０１との嵌合を解除する際には、ハウジング側ロック片２３４を後方側下方に押し下げる。すると、ハウジング側ロック片２３４は後方に傾動し、レバー側ロック片２３１の係止部２３２とハウジング側ロック片２３４との係止状態は解除される。これにより、圧縮されていた装着帯２１３ａの反発力によって突き当て部２３３を介してレバー２２０はわずかに押し戻され、浮いた状態になる。そして、レバー２２０を終点位置から始点位置まで矢印Ａ方向と反対の矢印Ｂ方向に回動させる。これにより、相手コネクタ２４０とレバー式コネクタ２０１との嵌合が解除されるのである。
【特許文献１】特開平９−１２０８６１号公報
【特許文献２】特開平９−１４７９７３号公報
【発明の開示】
【発明が解決しようとする課題】
【００１４】
しかしながら、これら従来の図１６及び図１７に示したレバー式コネクタにあっては、以下の問題点があった。
即ち、図１６及び図１７に示したレバー式コネクタ１０１，２０１の双方において、相手コネクタ１４０、２４０とレバー式コネクタ１０１、２０１との嵌合を解除する際には、レバー１２０、２２０のロック状態を解除するための、ハウジング側ロック片１３３、２３４の押し下げ作業と、この押し下げ作業と方向の異なるレバー１２０、２２０の終点位置から始点位置までの回動作業とを要する。このため、レバー１２０、２２０のロック解除操作とレバー１２０、２２０の回動操作とを連続的に行うことができず、例えば、これら両操作を別々の手で行う必要が生じ、相手コネクタ１４０、２４０とレバー式コネクタ１０１、２０１との嵌合を容易に解除操作できなかった。
【００１５】
また、図１７に示したレバー式コネクタ２０１にあっては、シール部材２１３をフード部２１２の内部からコンタクト収容部２１１の外周にかけて延設する必要があり、構造上の制約があるとともに、その分だけ製造コストが高価になってしまうという問題があった。
従って、本発明は上述の問題点に鑑みてなされたものであり、その目的は、レバーのロック解除操作とレバーの回動操作とを連続的に行うことができ、相手コネクタとの嵌合を容易に解除操作できる、安価な構成のレバー式コネクタを提供することにある。
【課題を解決するための手段】
【００１６】
上記問題を解決するため、本発明のうち請求項１に係るレバー式コネクタは、複数のコンタクトを収容するハウジングと、該ハウジングに対して始点位置と終点位置との間を回動可能に軸支され、相手コネクタに設けられたカムフォロアと係合するカム溝を有するレバーとを具備し、前記ハウジング及び前記レバーに、該レバーを前記終点位置に係止するロック機構を設けたレバー式コネクタにおいて、前記ロック機構は、前記ハウジングの前記始点位置側から前記終点位置側に向かって前記レバーの回動軌跡にほぼ沿って該回動軌跡の下方側を延びるハウジング側ロックアームと、前記レバーに設けられ、前記ハウジング側ロックアームの延出方向と逆方向に延びるレバー側ロックアームとを備え、該レバー側ロックアームは、その自由端上側にロック解除操作部を有すると共に、該ロック解除操作部の下に前記ハウジング側ロックアームに係止する係止部を有することを特徴としている。
【００１７】
また、本発明のうち請求項２に係るレバー式コネクタは、請求項１記載の発明において、前記レバーに、前記レバー側ロックアームの両側に位置して前記レバー側ロックアームを保護するレバー側ロックアーム保護片を設けたことを特徴としている。
更に、本発明のうち請求項３に係るレバー式コネクタは、請求項１又は２記載の発明において、前記ハウジングに、前記ハウジング側ロックアームの両側に位置して前記ハウジング側ロックアームを保護するハウジング側ロックアーム保護片を設けたことを特徴としている。
加えて、本発明のうち請求項４に係るレバー式コネクタは、請求項１乃至３のうちいずれか一項に記載の発明において、前記ハウジングに、前記レバーが終点位置に係止されているときに前記レバーの下方への移動を規制する支持片を設けたことを特徴としている。
【発明の効果】
【００１８】
本発明のうち請求項１に係るレバー式コネクタによれば、ロック機構は、ハウジングの始点位置側から終点位置側に向かってレバーの回動軌跡にほぼ沿って該回動軌跡の下方側を延びるハウジング側ロックアームと、前記レバーに設けられ、前記ハウジング側ロックアームの延出方向と逆方向に延びるレバー側ロックアームとを備え、該レバー側ロックアームは、その自由端上側にロック解除操作部を有すると共に、該ロック解除操作部の下に前記ハウジング側ロックアームに係止する係止部を有する。このため、レバー側ロックアームのロック解除操作部の押し下げ方向と、ロックが解除されたレバーの終点位置から始点位置までの回動方向とが極めて近似するので、レバーのロック解除操作とレバーの回動操作とを連続的に行うことができ、相手コネクタとレバー式コネクタとの嵌合を容易に解除操作することができる。
【００１９】
また、本発明のうち請求項２に係るレバー式コネクタによれば、請求項１記載の発明において、前記レバーに、前記レバー側ロックアームの両側に位置して前記レバー側ロックアームを保護するレバー側ロックアーム保護片を設けたので、レバー側ロックアーム保護片によりレバー側ロックアームを保護、例えば、レバー側ロックアームに電線が絡んだりすることを防止することができる。
【００２０】
更に、本発明のうち請求項３に係るレバー式コネクタによれば、請求項１又は２記載の発明において、前記ハウジングに、前記ハウジング側ロックアームの両側に位置して前記ハウジング側ロックアームを保護するハウジング側ロックアーム保護片を設けたので、ハウジング側ロックアーム保護片によりハウジング側ロックアームを保護、例えば、ハウジング側ロックアームに電線が絡んだりすることを防止することができる。
【００２１】
加えて、本発明のうち請求項４に係るレバー式コネクタによれば、請求項１乃至３のうちいずれか一項に記載の発明において、前記ハウジングに、前記レバーが終点位置に係止されているときに前記レバーの下方への移動を規制する支持片を設けたので、支持片によりレバーが終点位置に係止されているときにレバーの下方への移動を規制でき、レバーに対して過応力が加わるのを防止することができる。
【発明を実施するための最良の形態】
【００２２】
次に本発明の実施形態を図面を参照して説明する。図１は本発明に係るレバー式コネクタであってレバーが始点位置にある状態のレバー式コネクタを正面斜め上方側から見た斜視図である。図２は図１に示す状態のレバー式コネクタを背面斜め上方側から見た斜視図である。図３はレバーが始点位置にある状態のレバー式コネクタの幅方向中央を部分的に断面した側面図である。図４はレバーが始点位置にある状態の幅方向端部を断面した側面図である。図５は図３の５−５線に沿う断面図である。図６は本発明に係るレバー式コネクタであってレバーが終点位置にある状態のレバー式コネクタを正面斜め上方側から見た斜視図である。図７は図６に示す状態のレバー式コネクタを背面斜め上方側から見た斜視図である。図８はレバーが終点位置にある状態のレバー式コネクタの幅方向中央を部分的に断面した側面図である。図９はレバーが終点位置にある状態の幅方向端部を断面した側面図である。図１０は本発明に係るレバー式コネクタであってレバーが終点位置にある状態のレバー式コネクタの正面図である。図１１は図１０の１１−１１線に沿う断面図である。図１２は図１０の右側面図である。図１３はロック機構の詳細を示し、（Ａ）はレバー側ロックアームがハウジング側ロックアームに係止している状態の拡大断面図、（Ｂ）はレバー側ロックアームのハウジング側ロックアームに対する係止が解除される状態の拡大断面図である。図１４は第２ハウジングを正面斜め上方側から見た斜視図である。図１５はレバーを示し、（Ａ）はレバーの斜視図、（Ｂ）はレバーの側面図、（Ｃ）は（Ｂ）の１５Ｃ−１５Ｃ線に沿う断面図である。
【００２３】
図１乃至図１２において、レバー式コネクタ１は、複数のコンタクト（図示せず）を収容する第１ハウジング１０と、リテーナ２０と、嵌合部シール部材３０と、電線シール部材４０と、第２ハウジング５０と、第２ハウジング５０に対して図１乃至図４に示す始点位置と図６乃至図１２に示す終点位置との間を回動可能に軸支されたレバー６０とを備えている。第１ハウジング１０と第２ハウジング５０とで請求項１、３及び４にいう「ハウジング」を構成する。レバー６０は、図１２に示すように、実機上では約６０°回動する。
【００２４】
ここで、第１ハウジング１０は、絶縁性の樹脂を成形することによって略矩形状に形成され、コンタクトを収容する複数列のコンタクト収容キャビティ１１を有している。各コンタクト収容キャビティ１１には、各コンタクト収容キャビティ１１内に挿入されたコンタクト（図示せず）を一次的に係止するハウジングランス１２が設けられている。また、第１ハウジング１０の後面側（図１１における右側）には、電線シール部材収容凹部１３が形成されている。
【００２５】
また、リテーナ２０は、コンタクト収容キャビティ１１内に収容されたコンタクトを二次的に係止するものであって、矩形状の基板部２１と、基板部２１の上端から前方（図１１における左方）に延びる上板部２２と、上板部２２の幅方向両端から下方に延びる１対の側板部２３とを備えている。リテーナ２０は、絶縁性の樹脂を成形することによって形成される。そして、リテーナ２０は、第１ハウジング１０の前後方向略中央部において上板部２２が第１ハウジング１０の上側、側板部２３が第１ハウジングの側部外側に位置して上下方向に移動可能に第１ハウジング１０に取付けられ、仮係止位置と本係止位置との間を移動するようになっている。リテーナ２０の基板部２１には、各コンタクト収容キャビティ１１内に収容されるコンタクトを挿通するための複数列の開口２４が各コンタクト収容キャビティ１１に対応して設けられている。そして、各開口２４の上側には、コンタクトを二次的に係止するための二次係止部２５が設けられている。リテーナ２０は、仮係止位置では、図１０及び図１１に示すように、第１ハウジング１０の上面に対して上板部２２が所定の隙間を持って上方に位置し、コンタクトが開口２４を通ってコンタクト収容キャビティ１１内に収容可能となっている。また、リテーナ２０は、本係止位置では、第１ハウジング１０の上面に上板部２２が当接し、コンタクト収容キャビティ１１内に収容されたコンタクトが二次係止部２５により二次係止されるようになっている。
【００２６】
また、嵌合部シール部材３０は、相手コネクタ（図示せず）の嵌合部と第１ハウジング１０との間をシールするものであって、略四角形のリング状に形成されてリテーナ２０よりも後方側の第１ハウジング１０の周囲に取付けられる。
そして、電線シール部材４０は、第１ハウジング１０の電線シール部材収容凹部１３内に配置される。電線シール部材４０は、ゴム材で構成され、略矩形平板状のシール本体４１にシール本体４１の２主面間を延びる複数の電線挿通孔４２を設けている。電線挿通孔４２の設けられる位置は、コンタクト収容キャビティ１１の位置に対応している。各電線挿通孔４２の内壁面には、複数の突条４３が設けられている。そして、隣接する各電線挿通孔４２の突条４３は、相互間で電線挿通孔４２の軸方向に沿って異なる位置に設けられている。コンタクトをコンタクト収容キャビティ１１内に収容したときには、コンタクトに接続された複数の電線（図示せず）は、電線シール部材４０の電線挿通孔４２内に位置して、電線挿通孔４２に設けられた突条４３が電線の周囲から電線を押圧し、電線はシールされる。これにより、コンタクト収容キャビティ１１内のコンタクトを外部から防水することができる。また、電線シール部材４０のシール本体４１の外周面には、複数の突条４４が形成されている。複数の突条４４は電線シール部材収容凹部１３の内周面に押圧接触することにより、シール本体４１の外周面と電線シール部材収容凹部１３の内周面との間をシールする。
【００２７】
また、第２ハウジング５０は、第１ハウジング１０の電線シール部材収容凹部１３内に配置された電線シール部材４０をコンタクト挿入面側（後面側）から保持するものであり、第１ハウジング１０、リテーナ２０、嵌合部シール部材３０及び電線シール部材４０を覆うキャップ状に形成されている。第２ハウジング５０には、第１ハウジング１０のコンタクト収容キャビティ１１及び電線シール部材４０の電線挿通孔４２に対応する位置にコンタクト挿通孔５１が形成されている。また、第２ハウジング５０の幅方向（図１０における左右方向）両側壁には、レバー６０を回動可能に支持するために支軸５２が設けられている。また、第２ハウジング５０には、図４、図９、図１０及び図１４に示すように、相手コネクタの幅方向両側面に設けられたカムフォロアＣを引き込むためのガイド溝５３が形成されている。また、第２ハウジング５０の幅方向両側壁の前方側には図３、図４及び図１４に示すように、レバー６０を始点位置に係止するための係止突起５４が突出形成されている。更に、第２ハウジング５０の幅方向両側壁の後端には、図３、図４、図８及び図９に示すように、始点位置にあるレバー６０の過回動（図３における矢印Ａ方向と逆方向の過回動）及び終点位置にあるレバー６０の過回動（図８における矢印Ｂ方向と逆方向の過回動）を防止するためのストッパー５５が突出形成されている。第２ハウジング５０は、絶縁性の樹脂を成形することによって形成される。
【００２８】
更に、レバー６０は、第２ハウジング５０を上方から跨ぐように略コ字形に形成され、第２ハウジング５０の幅方向両側壁の外側に位置する１対のアーム部６１と、これらアーム部６１の上端を連結する基部６２とを備えている。レバー６０は、絶縁性の樹脂を成形することによって形成される。両アーム部６１には、第２ハウジング５０に設けられた支軸５２に回動可能に支持される軸孔６３が形成されている。そして、両アーム部６１には、相手コネクタのカムフォロアＣと係合するカム溝６４が形成されている。各カム溝６４は、図９に示すように、レバー６０が終点位置にあるときにアーム部６１の下方に向けて開口している。また、両アーム部６１のカム溝６４の近傍には、図３、図４、図５、図８、図９及び図１５に示すように、係止孔６６を有する内外方向に向けて変位可能なラッチアーム６５が設けられている。ラッチアーム６５の係止孔６６には、図３乃至図５に示すように、第２ハウジング５０の係止突起５４が係止され、これにより、レバー６０が図１乃至図４に示す始点位置に係止される。このとき、始点位置にあるレバー６０の図３及び図４に示す矢印Ａ方向と逆方向の過回動は、レバー６０のアーム部６１がストッパー５５に当接することにより防止される。
【００２９】
そして、第２ハウジング５０及びレバー６０には、レバー６０を図６乃至図１２に示す終点位置に係止するロック機構７０が設けられている。ロック機構７０は、第２ハウジング５０から延びるハウジング側ロックアーム８０と、レバー６０から延びるレバー側ロックアーム９０とから構成されている。
ハウジング側ロックアーム８０は、第２ハウジング５０の上壁の始点位置側端（後端）から終点位置側（前側）に向かってレバー６０の基部６２の回動軌跡にほぼ沿って該回動軌跡の下方側を延びる片持ち梁構造をなしている。ハウジング側ロックアーム８０の自由端には、上方に突出するロック突起８１が設けられている。このロック突起８１の先端上面には、図１３に最もよく示すように、下方に向けて湾曲する湾曲部８２が形成されている。また、第２ハウジング５０の上壁には、ハウジング側ロックアーム８０の自由端近傍の両側に位置してハウジング側ロックアーム８０を保護する１対のハウジング側ロックアーム保護片８３が突出形成されている。これらハウジング側ロックアーム保護片８３によりハウジング側ロックアーム８０を保護、例えば、ハウジング側ロックアーム８０に電線が絡んだりすることを防止することができる。また、第２ハウジング５０の上壁の前端には、図１０、図１１及び図１４に示すように、レバー６０が終点位置に係止されているときにレバー６０の基部６２の下方への移動を規制する１対の支持片８４が設けられている。これら支持片８４によりレバー６０が終点位置に係止されているときにレバー６０の基部６２の下方への移動を規制でき、レバー６０に対して過応力が加わるのを防止することができる。
【００３０】
一方、レバー側ロックアーム９０は、レバー６０の基部６２の前端下部から折り返されてハウジング側ロックアーム８０の延出方向と逆方向（後方向）に延びる片持ち梁構造をなしている。そして、レバー側ロックアーム９０は、その自由端上側にロック解除操作部９１を有すると共に、ロック解除操作部９１の下にハウジング側ロックアーム８０の湾曲部８２に係止する係止部９２を有している。レバー６０の基部６２には、図７によく示すように、レバー側ロックアーム９０の両側に位置してレバー側ロックアーム９０を保護する１対の第１レバー側ロックアーム保護片９３及び１対の第２レバー側ロックアーム保護片９４が形成されている。第１レバー側ロックアーム保護片９３は、レバー側ロックアーム９０の可撓部の両側に位置して該可撓部を保護する。第２レバー側ロックアーム保護片９４は、第１レバー側ロックアーム保護片９３の上方かつロック解除操作部９１の両側に位置してロック解除操作部９１の保護をする。これら第１レバー側ロックアーム保護片９３及び第２レバー側ロックアーム保護片９４によりレバー側ロックアーム９０を保護、例えば、レバー側ロックアーム９０に電線が絡んだりすることを防止することができる。
【００３１】
相手コネクタをレバー式コネクタ１に嵌合する際には、レバー６０を図１乃至図４に示す始点位置に回動しておき、第１ハウジング１０に相手コネクタを合わせる。このとき、レバー６０のラッチアーム６５の係止孔６６には、第２ハウジング５０の係止突起５４が係止され、これにより、レバー６０が始点位置に係止されている。そして、相手コネクタのカムフォロアＣが図４に示すようにアーム部１２２のカム溝６４に入り込み、カムフォロアＣ近傍のカム部（図示せず）がレバー６０のラッチアーム６５と係合すると、ラッチアーム６５が外側へ撓んで第２ハウジング５０の係止突起５４による係止孔６６への係止が解除される。次に、レバー６０を始点位置から図６乃至図１２に示す終点位置まで矢印Ａ方向に回動させる。このレバー６０の矢印Ａ方向の回動により、相手コネクタのカムフォロアＣが図９に示すようにカム溝６４に沿って後方に引き込まれるから、相手コネクタは第１ハウジング１０の奥まで引き込まれ、相手コネクタとレバー式コネクタ１との嵌合が完了する。これにより、相手コネクタに設けられたコンタクト（図示せず）と第１ハウジング１０に収容されたコンタクトとが電気的に導通する。このとき、図８及び図１３（Ａ）によく示すように、レバー側ロックアーム９０の係止部９２がハウジング側ロックアーム８０の湾曲部８２に係止され、レバー６０の始点位置側への回動が阻止される。このロック状態では、レバー側ロックアーム９０及びハウジング側ロックアーム８０は、互いにやや撓んでいる。また、終点位置にあるレバー６０の図８及び図９に示す矢印Ｂ方向と逆方向の過回動は、レバー６０のアーム部６１がストッパー５５に当接することにより防止される。
【００３２】
また、相手コネクタとレバー式コネクタ１との嵌合を解除する際には、レバー側ロックアーム９０のロック解除操作部９１を図１３（Ａ）に示す矢印Ｃ方向に押し下げる。すると、このロック解除操作部９１の押し下げ動作により、図１３（Ｂ）に示すように、レバー側ロックアーム９０の係止部９２が固定端側を略中心として下方に回動し、その一方、ハウジング側ロックアーム８０の湾曲部８２が係止部９２により押圧されてハウジング側ロックアーム８０の固定端側を略中心として下方に回動し、レバー側ロックアーム９０の係止部９２の湾曲部８２に対する係止状態が解除される。そして、レバー６０を、終点位置から始点位置までロック解除操作部９１の押し下げ方向（矢印Ｃ方向）に極めて近似した図１３（Ｂ）、図８及び図９に示す矢印Ｂ方向に回動させる。すると、相手コネクタのカムフォロアＣが図４に示すようにカム溝６４に沿って前方に引き出されるから、相手コネクタとレバー式コネクタ１との嵌合を解除することができる。これにより、相手コネクタに設けられたコンタクト（図示せず）と第１ハウジング１０に収容されたコンタクトとの電気的導通が解除される。
【００３３】
このように、本実施形態にあっては、レバー側ロックアーム９０のロック解除操作部９１の押し下げ方向（矢印Ｃ方向）と、ロックが解除されたレバー６０の終点位置から始点位置までの回動方向（矢印Ｂ方向）とが極めて近似するので、レバー６０のロック解除操作とレバー６０の回動操作とを連続的に行うことができ、相手コネクタ６０とレバー式コネクタ１との嵌合を容易に解除操作することができる。
【００３４】
以上、本発明の実施形態について説明してきたが、本発明はこれに限定されずに種々の変更、改良を行うことができる。
例えば、電線シール部材４０を使用しない場合等においては、第２ハウジング５０を必ずしも設ける必要はなく、この場合、レバー６０を第１ハウジング１０に対して回動可能に軸支することができ、第１ハウジング１０及びレバー６０に、レバーを終点位置に係止するロック機構７０を設けることができる。
また、ハウジング側ロックアーム保護片８３、支持片８４、第１レバー側ロックアーム保護片９３及び第２レバー側ロックアーム保護片９４は、必ずしも設ける必要はない。
【図面の簡単な説明】
【００３５】
【図１】本発明に係るレバー式コネクタであってレバーが始点位置にある状態のレバー式コネクタを正面斜め上方側から見た斜視図である。
【図２】図１に示す状態のレバー式コネクタを背面斜め上方側から見た斜視図である。
【図３】レバーが始点位置にある状態のレバー式コネクタの幅方向中央を部分的に断面した側面図である。
【図４】レバーが始点位置にある状態の幅方向端部を断面した側面図である。
【図５】図３の５−５線に沿う断面図である。
【図６】本発明に係るレバー式コネクタであってレバーが終点位置にある状態のレバー式コネクタを正面斜め上方側から見た斜視図である。
【図７】図６に示す状態のレバー式コネクタを背面斜め上方側から見た斜視図である。
【図８】レバーが終点位置にある状態のレバー式コネクタの幅方向中央を部分的に断面した側面図である。
【図９】レバーが終点位置にある状態の幅方向端部を断面した側面図である。
【図１０】本発明に係るレバー式コネクタであってレバーが終点位置にある状態のレバー式コネクタの正面図である。
【図１１】図１０の１１−１１線に沿う断面図である。
【図１２】図１０の右側面図である。
【図１３】ロック機構の詳細を示し、（Ａ）はレバー側ロックアームがハウジング側ロックアームに係止している状態の拡大断面図、（Ｂ）はレバー側ロックアームのハウジング側ロックアームに対する係止が解除される状態の拡大断面図である。
【図１４】第２ハウジングを正面斜め上方側から見た斜視図である。
【図１５】図１５はレバーを示し、（Ａ）はレバーの斜視図、（Ｂ）はレバーの側面図、（Ｃ）は（Ｂ）の１５Ｃ−１５Ｃ線に沿う断面図である。
【図１６】従来例のレバー式コネクタの説明図である。
【図１７】従来の他の例のレバー式コネクタの説明図である。
【符号の説明】
【００３６】
１  レバー式コネクタ
１０  第１ハウジング（ハウジング）
５０  第２ハウジング（ハウジング）
６０  レバー
６４  カム溝
７０  ロック機構
８０  ハウジング側ロックアーム
８３  ハウジング側ロックアーム保護片
８４  支持片
９０  レバー側ロックアーム
９１  ロック解除操作部
９２  係止部
９３  第１レバー側ロックアーム保護片（レバー側ロックアーム保護片）
９４  第２レバー側ロックアーム保護片（レバー側ロックアーム保護片）
Ｃ  相手コネクタのカムフォロア
【図１】
2005317384.tif 000003
【図２】
2005317384.tif 000004
【図３】
2005317384.tif 000005
【図４】
2005317384.tif 000006
【図５】
2005317384.tif 000007
【図６】
2005317384.tif 000008
【図７】
2005317384.tif 000009
【図８】
2005317384.tif 000010
【図９】
2005317384.tif 000011
【図１０】
2005317384.tif 000012
【図１１】
2005317384.tif 000013
【図１２】
2005317384.tif 000014
【図１３】
2005317384.tif 000015
【図１４】
2005317384.tif 000016
【図１５】
2005317384.tif 000017
【図１６】
2005317384.tif 000018
【図１７】
2005317384.tif 000019